(57)【要約】【課題】  遊技機枠の裏部への着脱容易化を図る。【解決手段】  映像装置１は、箱形の装置筐体２に、投影機３、反射鏡４、スクリーン５を組み付けた、ユニットと呼ばれる単一集合構造体として形成される。装置筐体２は、筐体本体６と前被覆体７と蓋体８との３つの部品が組み合わせられることで、下部の投影機構部９と上部の反射映写機構部１０とを形成する。前被覆体７が、投影レンズ６６の焦点調整を行うための作業開口部３７を備える。作業開口部３７が、蓋体８で閉鎖される。反射鏡受部２０が、前傾姿勢となる１つの平面内に位置する格子リブ２２と周辺リブ２３とを備える。【選択図】        図１
2005148206.tif 000002
【特許請求の範囲】
【請求項１】
遊技機枠に取り付けられる装置筐体に投影機と反射鏡およびスクリーンからなる複数の構成部品を組み付けた単一集合構造体として形成されたことを特徴とする遊技機の映写装置。
【請求項２】
装置筐体の裏面に電源装置と投影機駆動回路と主制御装置および複合制御装置を取り付けたことを特徴とする請求項１記載の遊技機の映写装置。
【請求項３】
装置筐体が筐体本体と前被覆体と蓋体との３つの部品が組み合わせられることで下部の投影機構部と上部の反射映写機構部とを形成したことを特徴とする請求項１記載の遊技機の映写装置。
【請求項４】
前被覆体が投影レンズの焦点調整を行う作業用開口部を備え、作業開口部が蓋体で開閉可能に閉鎖されたことを特徴とする請求項３記載の遊技機の映写装置。
【請求項５】
筐体本体と前被覆体と蓋体との３つの部品からなる装置筐体の前側の開口部に、スクリーンを取り付けることによって、装置筐体の内部に閉鎖空間を密封状に形成したことを特徴とする請求項３記載の遊技機の映写装置。
【請求項６】
筐体本体が裏壁に前傾姿勢となる１つの平面内に位置する格子リブと周辺リブとからなる反射鏡受部を備えたことを特徴とする請求項３記載の遊技機の映写装置。
【請求項７】
筐体本体が反射鏡受部の周辺リブと筐体本体の周壁と裏壁とを結合する補強リブを備えたことを特徴とする請求項６記載の遊技機の映写装置。
【発明の詳細な説明】
【技術分野】
【０００１】
本発明は、遊技機枠の裏部への着脱が容易な遊技機の映写装置に関する。
【背景技術】
【０００２】
パチンコ機やスロットマシンなどの遊技機の映写装置には、遊技機枠の下部に液晶表示器を使用したプロジェクターと呼ばれる投影機を配置し、遊技機枠の上部に設けられた遊技盤の裏側に、反射鏡と、フレネルレンズからなる平板状の視野レンズと呼ばれるスクリーンとを配置し、投影機の投影光源から光を画像の表示されている液晶表示器に照射し、その投影光を投影機の投影レンズで拡大し、その拡大された投影光を反射鏡で前側に反射してスクリーンに上記液晶表示器で表示された画像を拡大して映写する構造である。しかしながら、投影機、反射鏡、スクリーンなど、映写装置を構成するの複数の構成部品が、遊技機枠に個別に取り付けられた場合、複数の構成部品相互の位置関係が微妙に狂い、スクリーンに映し出された画像がぼけて品質信頼性に欠けるうえ、映写装置の遊技機枠への組立作業に多大な労力と時間を要するという欠点がある。
【特許文献１】特開２００３−２２０１９４号公報
【特許文献２】特開平６−３５０６６号公報
【発明の開示】
【発明が解決しようとする課題】
【０００３】
発明が解決しようとする問題点は、投影光源、液晶表示器、反射鏡、スクリーンなど、映写装置を構成する複数の構成部品相互の位置関係が狂いやすく、映写装置の遊技機枠への組立作業も大変であるという点である。
【課題を解決するための手段】
【０００４】
本発明に係る遊技機の映写装置は、遊技枠に取り付けられる装置筐体に投影機と反射鏡およびスクリーンからなる複数の構成部品を組み付けた単一集合構造体として形成されたことを最も主要な特徴とする。装置筐体の裏面に電源装置と投影機駆動回路と主制御装置および複合制御装置を取り付けたり、装置筐体が筐体本体と前被覆体と蓋体との３つの部品が組み合わせられることで下部の投影機構部と上部の反射映写機構部とを形成したり、前被覆体が投影レンズの焦点調整を行う作業用開口部を備え、作業開口部が蓋体で開閉可能に閉鎖されたり、筐体本体と前被覆体と蓋体との３つの部品からなる装置筐体の前側の開口部に、スクリーンを取り付けることによって、装置筐体の内部に閉鎖空間を密封状に形成したり、筐体本体が裏壁に前傾姿勢となる１つの平面内に位置する格子リブと周辺リブとからなる反射鏡受部を備えたり、筐体本体が反射鏡受部の周辺リブと筐体本体の周壁と裏壁とを結合する補強リブを備えたりすることも特徴とする。
【発明の効果】
【０００５】
本発明に係る遊技機の映写装置は、映写装置が装置筐体に投影機と反射鏡およびスクリーンからなる複数の構成部品を組み付けた単一集合構造体として形成されたので、遊技機枠に映写装置を取り付けたり、遊技機枠から映写装置を取り外したりする場合、映写装置を単一集合構造体として扱うことができ、遊技機枠への映写装置の着脱を容易に行うことができるという利点がある。装置筐体の裏面に電源装置と投影機駆動回路と主制御装置および複合制御装置を取り付ければ、投影レンズの焦点調整が容易となるという利点がある。装置筐体が筐体本体と前被覆体と蓋体との３つの部品が組み合わせられることで下部の投影機構部と上部の反射映写機構部とを形成すれば、装置筐体を構成する筐体本体と前被覆体および蓋体を合成樹脂で容易に形成することができ、それら３つの部品を組み合わせることによって、装置筐体の強度が高くなるという利点がある。前被覆体が投影レンズの焦点調整を行う作業用開口部を備え、作業開口部が蓋体で開閉可能に閉鎖されれば、映写装置が遊技機枠に取り付けられるのに先駆けて、投影レンズの焦点調整を行うことができ、当該焦点調整を行うことによって、映写装置が遊技機枠に取り付けられても、投影機と反射鏡およびスクリーンからなる複数の構成部品相互の位置関係が装置筐体で確保され、スクリーンに映し出された画像が鮮明であり、品質信頼性が高いという利点があり、焦点調整後に、蓋体を前被覆体に取り付けることで、作業開口部が蓋体で閉鎖されるので、上記装置筐体の内部の閉鎖空間を密封状に維持することができるという利点がある。筐体本体と前被覆体と蓋体との３つの部品からなる装置筐体の前側の開口部にスクリーンを取り付けることによって、装置筐体の内部に閉鎖空間が密封状に形成されれば、当該閉鎖された密封空間に配置される投影機と反射鏡とによる投影・映写空間に埃が浮遊することがなく、スクリーンに映し出された画像が鮮明であるという利点がある。筐体本体が裏壁に前傾姿勢となる１つの平面内に位置する格子リブと周辺リブとからなる反射鏡受部を備えれば、反射鏡の反射面が１つの平面を確保することができるという利点がある。筐体本体が反射鏡受部の周辺リブと筐体本体の周壁と裏壁とを結合する補強リブを備えれば、筐体本体の強度が高いという利点がある。
【発明を実施するための最良の形態】
【０００６】
図１−図１０は、一実施形態である。図１は、映写装置１の縦断面を示す。図２は、映写装置１を分解して示す。図３は、映写装置１の前側からの外観を示す。図４は、筐体本体６の正面を模式的に示す。図５は、遊技機枠７１の外観を示す。図６は、遊技盤１１０の外観を示す。図７は、映写装置１の取り付けられた遊技機枠７１と遊技盤１１０との外観を示す。図８は、映写装置１と遊技機枠７１との背面を示す。図９は、電気系統を示す。図１０は、パチンコ機の外観を示す。
【０００７】
図３を参照し、遊技機をパチンコ機とした映写装置１の構造について説明する。映写装置１は、遮光性合成樹脂からなる箱形の装置筐体２に、投影機３、反射鏡４、スクリーン５を組み付けた、ユニットと呼ばれる単一集合構造体として形成される。
【０００８】
図２を参照し、映写装置１の各構成部材の構造について説明する。装置筐体２は、筐体本体６と前被覆体７と蓋体８との３つの部品が組み合わせられることで、下部の投影機構部９と上部の反射映写機構部１０とを形成する。投影機構部９は、反射映写機構部１０よりも横幅が狭い。筐体本体６は、裏壁から左壁と右壁と上壁および下壁を前側に突出したことで、前側に開放した箱形に形成された遮光性合成樹脂からなる構造体であって、下部の投影機収納室１１と上部の反射鏡収納室１２とを上下方向に連接した格好で、反射映写機構部１０の外側の四隅に装置取付部１３を備える。装置取付部１３は、筐体本体６の周壁１５から外側に突出する。装置取付部１３は、映写装置１を、図５に示す遊技機枠７１の可動枠７５の裏面に、取り付けるための部分である。
【０００９】
図４にも示すように、筐体本体６の左壁と右壁と上壁および下壁が、投影機収納室１１と上部の反射鏡収納室１２とを一連に囲む環状の周壁１５を形成する。筐体本体６の反射映写機構部１０における周壁１５の内側には、スクリーン取付部１６が、反射映写機構部１０の裏壁から前側に突出した格好で複数個設けられる。スクリーン取付部１６の前面には、当該前面よりも外径の小さい筒状の取付脚１７が、前方に突出した形態に設けられる。取付脚１７の前面は、反射映写機構部１０の周壁１５の前面よりも前側に突出していない。筐体本体６の反射映写機構部１０における周壁１５の内側には、筒状の前被覆取付部１８が、反射映写機構部１０の裏壁から前側に突出した格好で複数個設けられる。
【００１０】
反射鏡収納室１２の裏壁は、上方から下方に行くに従って徐々に周壁１５の前面から裏側に離れる前傾姿勢の平板状の壁である。反射鏡収納室１２では、中央の反射鏡受部２０と上下の反射鏡取付部２１とが、裏壁から前方に突出する。反射鏡受部２０は、格子リブ２２と、格子リブ２２を囲む周辺リブ２３とを備える。格子リブ２２の前面および周辺リブ２３の前面は、裏壁と同一の角度で前傾姿勢となる１つの平面内に位置する。反射鏡取付部２１は、周辺リブ２３よりも上下方向の外側に位置する。反射鏡取付部２１では、反射鏡取付部２１の前面よりも外径の小さい筒状の取付足２４が、反射鏡取付部２１の前面から前方に同軸に突出する。周辺リブ２３と、周辺リブ２３よりも外側の裏壁の前面と、反射映写機構部１０の周壁１５とが、補強リブ２５で、互いに結合される。図４において、右斜めおよび左斜めの斜線は断面を表わすものではく、周壁１５を右斜めの斜線を付して表現し、周辺リブ２３を太い実線で表現し、格子リブ２２を左斜めの斜線を付して表現し、補強リブ２５を白抜きで表現し、周壁１５と周辺リブ２３と格子リブ２２と補強リブ２５との区別を明確にした。
【００１１】
図２に戻り、前被覆体７は、遮光性合成樹脂により形成された部材であって、裏側に開放した箱形の上被覆部２７と前側に開放した箱形の下被覆部２８とが上下方向に連接された形態である。上被覆部２７には、中央と左右とに位置する遊技部品覆部３０が、上被覆部２７の上縁部から上方に突出かつ前側に開放されたフード状に連接される。遊技部品覆部３０の周りにおいて、上被覆部２７には、上壁３３が、上被覆部２７の前壁から前方に突出する。上被覆部２７の前壁は、垂直姿勢の平板状の壁である。下被覆部２８の前壁は、棚壁３４から下方に行くに従って徐々に前側に傾斜する後斜姿勢の平板状の壁である。上被覆部２７と下被覆部２８との境界を形成する棚壁３４は、上被覆部２７の前壁と下被覆部２８の前壁とに連接される。前被覆体７の周縁部には、複数の取付孔３５が、前被覆取付部１８と対応する位置に設けられる。
【００１２】
棚壁３４と下被覆部２８の前壁とには、前後方向に貫通する作業開口部３７を備える。作業開口部３７は、投影機構部９に取り付けられた投影機３の投影レンズ６６の焦点を調整する作業を行うための部分である。作業開口部３７の上縁部には、フック受溝３８が、作業開口部３７の上縁部から上方に窪む形態に形成される。フック受溝３８の上方に窪む深さは、蓋体８の厚さよりも浅い。作業開口部３７の左右下縁部には、蓋受部３９が、棚壁３４の上面から下方に落ち込むとともに下被覆部２８の前壁の前面から裏側に落ち込む形態に形成される。この蓋受部３９の落ち込む深さは、蓋体８の厚さと同じである。作業開口部３７の下縁部に位置する蓋受部３９には、突起受孔４０が、左右に形成される。蓋体８は、作業開口部３７を塞ぐ形状であって、遮光性合成樹脂により形成される。蓋体８は、裏側に直線的に突出した前端にフック４１を有する係合部４２と、係合部４２と同じ方向で平行に突出する突起４３とを備える。
【００１３】
反射鏡４は、反射面体４５と上下の取付具４６とを備える。反射面体４５は、前面が鏡面仕上された、周辺リブ２３の外周縁で囲まれた平面と同じ形状であって、ステンレスのような防錆金属からなる平板状である。取付具４６は、反射面体４５の上縁部と下縁部とに、スポット溶接のような接合方法で結合される。取付具４６には左右側部に取付孔４７が形成される。スクリーン５は、前側開放の反射映写機構部１０の前側開口を覆う、フレネルレンズからなる視野レンズと呼ばれる平板状である。スクリーン５の外形は、反射映写機構部１０の周壁１５の前面と、前被覆体７の上壁３３の前面と、遊技部品覆部３０における周壁１５の前面とを覆う形状である。スクリーン５の周縁部には、複数の逃部４８；４９を備える。これらの逃部４８；４９は、スクリーン取付部１６の取付脚１７と遊技部品覆部３０の前側開口とを逃げる部分である。
【００１４】
スクリーン５を筐体本体６に取り付けるスクリーン支持体５４は、鉄板のような金属板により左右の２体に分割された形態であって、反射映写機構部１０の周壁１５の前面を覆う支持前壁５５と、支持前壁５５から裏側に折り曲げられた支持側壁５６とを備える。支持前壁５５は、上下に取付孔５７を備える。取付孔５７の周りにおける支持前壁５５の裏面には、取付孔５７と同軸に連なる内部孔を有する筒状の嵌合部５８が設けられる。嵌合部５８における支持前壁５５の裏面からの突出量である高さは、スクリーン５の厚さとスクリーン取付部１６の取付脚１７の高さとを加算した寸法と同一である。
【００１５】
投影機３は、機器筐体の下部にＬＥＤのような投影光源６４を内蔵し、機器筐体の上下方向中間部に液晶表示器６５を内蔵し、機器筐体の上部に投影レンズ６６を焦点調整可能に備え、機器筐体の外側に、モータで駆動されるシロコタイプのブロワーファンのような空冷機６７と、液晶表示器６５の投影機制御回路１４７とを備える。空冷機６７は、筐体内部を空気で冷却する機器である。
【００１６】
映写装置１の組立方について説明する。投影機３が筐体本体６の投影機構部９に取り付けられ、前被覆体７が筐体本体６に取り付けられ、反射鏡４が筐体本体６の反射鏡収納室１２に取り付けられる。投影機３が筐体本体６に取り付けられる時期と、反射鏡４が筐体本体６に取り付けられる時期とは、どちらが先であってもよいが、前被覆体７が筐体本体６に取り付けられる時期は、反射鏡４が筐体本体６に取り付けられた後がよい。その理由は、反射鏡４を傷めることなく容易に取り付けることができる。このように、反射鏡４および前被覆体７が筐体本体６に取り付けられることによって、筐体本体６の上部には、反射鏡４を内蔵した前側開放の反射映写機構部１０が形成される。
【００１７】
反射鏡４が反射鏡収納室１２に取り付けられる場合、反射鏡４における上下の取付具４６の取付孔４７が、反射鏡取付部２１の取付足２４に、前側から個別に挿入され、反射面体４５の裏面が反射鏡受部２０の前面に接触し、反射面体４５の前面である鏡面仕上された反射面が全体的に平坦面となる格好で、反射面体４５が反射鏡受部２０に受け止められる。その後、タッピングスクリューのような止ねじ６１が反射鏡４の前側から反射鏡４の取付孔４７を経由して筐体本体６の取付足２４に締結されることによって、反射鏡４が反射鏡収納室１２の裏壁に取り付けられる。つまり、反射鏡４が反射鏡収納室１２の内部で筐体本体６に前傾姿勢で取り付けられる。
【００１８】
また、投影機３の投影レンズ６６が上方で、投影機３の投影光源６４が下方となるように、投影機３が投影機収納室１１に取り付けられる。投影機３が投影機収納室１１に取り付けられた後、前被覆体７が、投影機収納室１１の前側開口を被覆する格好で筐体本体６に被せられる。その後、タッピングスクリューのような止ねじ６８が取付孔３５から前被覆取付部１８に締結されることによって、前被覆体７が筐体本体６に取り付けられる。これによって、前被覆体７で被覆された投影機構部９が、反射映写機構部１０よりも横幅の狭い、前後左右下部の閉鎖された格好に形成される。投影機構部９の上部には前被覆体７と装置筐体２とで囲まれた平面視四角形の開口が形成される。換言すると、投影機構部９の内部空間と反射鏡収納室１２とが開口で互いに上下に連なる１つの空間を形成する。
【００１９】
次に、スクリーン５が反射映写機構部１０の前側開口を覆うように、スクリーン５の周縁部の裏面が、反射映写機構部１０の周壁１５の前面と、前被覆体７の上壁３３の前面と、遊技部品覆部３０における周壁の前面とに、前側から重ね合わされて接触して搭載される。このスクリーン５の搭載される反射映写機構部１０の周壁１５の前面と、前被覆体７の上壁３３の前面と、遊技部品覆部３０における前側開口を囲む前面とのそれぞれは、前被覆体７が筐体本体６に取り付けられることで、１つの垂直面内に位置する。そして、左のスクリーン支持体５４の支持前壁５５がスクリーン５の左側部の前面と対向するように配置され、右のスクリーン支持体５４の支持前壁５５がスクリーン５の右側部の前面と対向するように配置され、スクリーン支持体５４における嵌合部５８が、スクリーン５の逃部４８を経由してスクリーン取付部１６の取付脚１７に、個別に外嵌装着される。これによって、嵌合部５８が取付脚１７の周りにおけるスクリーン取付部１６の前面に接触し、左のスクリーン支持体５４における支持前壁５５の裏面がスクリーン５の左側部の前面に接触し、右のスクリーン支持体５４における支持前壁５５の裏面がスクリーン５の右側部の前面に接触する。その後、タッピングスクリューのような止ねじ６９がスクリーン支持体５４の前側から取付孔５７を経由して取付脚１７の内部孔に個別に締結される。これによって、スクリーン５が左右のスクリーン支持体５４で反射映写機構部１０に取り付けられ、左右のスクリーン支持体５４の支持側壁５６がスクリーン５と反射映写機構部１０の周壁１５との合わせ部を外側から被覆する。
【００２０】
このように、投影機３、反射鏡４、スクリーン５が、筐体本体６に取り付けられた形態において、投影レンズ６６の焦点調整が行われる。それには、投影機３の液晶表示器６５に直流電源を供給してテスト画像を表示し、投影機３の投影光源６４に交流電源を供給する。これによって、投影機３の投影光源６４が光を画像の表示されている液晶表示器６５に照射し、その投影光が投影機３の投影レンズ６６で拡大され、その拡大された投影光が反射鏡４で前側に反射してスクリーン５に上記液晶表示器６５で表示されたテスト画像を拡大して映写する。その状態において、例えば、作業者が、手を、前被覆体７の前側から作業開口部３７を経由して投影機構部９の内部に入れて、投影機３の投影レンズ６６を回転操作し、上記スクリーン５に映し出されたテスト画像が焦点の合わされた態様となるように、作業者が焦点調整を行う。その後、作業開口部３７が蓋体８で閉鎖される。
【００２１】
作業開口部３７を蓋体８で閉鎖する場合、蓋体８のフック４１がフック受溝３８に前側から挿入され、突起４３が突起受孔４０に挿入された格好で、作業者が蓋体８を作業開口部３７に装着すると、蓋体８の周縁部の裏面が蓋受部３９に接触し、フック４１がフック受溝３８を裏側に越えてフック受溝３８の周りにおける上被覆部２７の裏面に係合し、蓋体８が作業開口部３７を閉鎖して前被覆体７に取り付けられる。これによって、スクリーン５が前側開放の反射映写機構部１０の前側開口を被覆することによって、箱形の装置筐体２に投影機３と反射鏡４とスクリーン５とを組み付けた単一集合構造体に形成された映写装置１が、図３に示す格好に構成される。この映写装置１にあっては、筐体本体６の前側開口がスクリーン５と前被覆体７と蓋体８とで閉鎖された密封空間状の投影機構部９および反射映写機構部１０が形成される。
【００２２】
図５を参照し、パチンコ機における映写装置１の取り付けられる遊技機枠７１の構造について説明する。遊技機枠７１は、パチンコ店の図外の遊技設置構造体に取り付けるための外枠と呼ばれるような金属製の固定枠７２を備える。固定枠７２は前後方向に開放された縦長な長方形の空間を囲む額縁形状である。固定枠７２の下部前面に設けられた幕板部７３には、低音用の図９に示すスピーカー１６６の低音を幕板部７３の裏側から前側に放出する放音孔部７４が左右に設けられる。放音孔部７４の裏面にはスピーカー１６６が個別に取り付けられる。固定枠７２には、前枠または中枠と呼ばれるような可動枠７５が左側の金属製のヒンジ７６で前側横方向に片開き可能にかつ着脱可能（交換可能）に取り付けられる。可動枠７５は、前後方向に開放された縦長な長方形の空間を囲む額縁形状の合成樹脂からなる可動枠本体７７と、可動枠本体７７から内部に延設された合成樹脂からなる遊技主体収納構造体７８とを備える。可動枠７５が閉じられた場合、図外のロック機構によって、開閉不能に固定枠７２に支持される。可動枠本体７７には、パネル枠８１および球皿構造体８２が左側に設けられる図外のヒンジで前側横方向に片開き可能に取り付けられる。パネル枠８１は前後方向に開放された窓８３を囲む額縁形状である。パネル枠８１の裏面には、ガラスまたは合成樹脂からなる光透過性を有する前面パネル８４が窓８３を覆う格好で取り付けられる。パネル枠８１の裏面上部には、中・高音用の図９に示すスピーカー１６６が左右に取り付けられる。このスピーカー１６６の設けられるパネル枠８１の部分には、スピーカー１６６の中・高音をパネル枠８１の裏側から前側に放出する図１０に示す放音孔部８５が設けられる。
【００２３】
パネル枠８１が閉じられた場合、図外のロック機構によって、開閉不能に、可動枠本体７７に支持される。球皿構造体８２が閉じられた場合、ロック機構によって、開閉不能に、可動枠本体７７に支持される。可動枠本体７７の右縦片には施錠装置８６が設けられる。可動枠７５やパネル枠８１および球皿構造体８２が閉じられてロック機構で開閉不能に支持された状態において、遊技店の店員が図外のキープレート（鍵）を遊技機枠７１の前側から施錠装置８６の鍵穴８７に挿入し、当該キープレートを例えば右側に９０度回転操作すると、固定枠７２と可動枠７５とのロック機構による支持形態が解除される。この支持形態の解除後に、店員が可動枠７５を前側に引くことによって、可動枠７５はヒンジ７６を回転中心として前側に片開きされる。また、上記施錠装置８６の鍵穴８７に挿入されたキープレートが例えば左側に９０度回転操作されると、可動枠７５とパネル枠８１とのロック機構による支持形態が解除される。この支持形態の解除後に、店員がパネル枠８１を前側に引くことによって、パネル枠８１は図外のヒンジを回転中心として前側に片開きされる。このように、パネル枠８１が前側に開かれた状態において、店員が可動枠７５の前面に設けられたロック解除操作体８９を操作すると、可動枠７５と球皿構造体８２とのロック機構による支持形態が解除される。この支持形態の解除後に、店員が球皿構造体８２を前側に引くことによって、球皿構造体８２は図外のヒンジを回転中心として前側に片開きされる。球皿構造体８２の前面には、球収納部９０と発射操作機構９１とを備える。球収納部９０は、遊技に使用する球を受ける上方に開放された形態である。球皿構造体８２の裏面には、球を球収納部９０に供給する球取入口９２と、球収納部９０から発射機構１０３に球を供給する球供給口９３とを備える。
【００２４】
遊技主体収納構造体７８は、前側に開放された遊技主体収納室９５と、遊技主体収納室９５の立壁で前後方向に貫通する中央開口部９６とを備える。遊技主体収納室９５の左側部には、図６に示す遊技盤１１０を裏側から前側に押圧する板ばねにより構成された遊技主体押圧部９７と、遊技主体押圧部９７で前側に押された遊技盤１１０を前側から受け止める遊技主体受部９８とを備える。遊技主体収納室９５の右側部には、遊技主体ロック部材９９を備える。遊技主体ロック部材９９は、遊技主体収納構造体７８から前側に突出する円筒状の台座の中心にロック操作部１００を回転可能に備える。ロック操作部１００は、台座から前側に突出した操作軸の端部に固定された横長な形態である。遊技主体収納構造体７８における遊技主体収納室９５よりも下部における前面には、遊技主体棚１０１を備える。遊技主体棚１０１の前面には、発射機構１０３、発射レール１０４、ファール球取入口部１０５、前横樋１０６を備える。発射レール１０４は、球皿構造体８２の球供給口９３から供給された１個の球を受け取る。発射機構１０３は、電力供給と遮断とを交互に受けることによって、球収納部９０から発射レール１０４に供給された１個の球を遊技盤１１０の図６に示す遊技領域１１２に向けて発射する。発射レール１０４は、発射機構１０３から発射された球を、遊技盤１１０における図６に示す発射通路１１５の入口に誘導する。ファール球取入口部１０５は、遊技盤１１０の発射通路１１５から落下する球を取り込む。ファール球取入口部１０５に取り込まれた球は、前横樋１０６を経由して球取入口９２に排出される。前横樋１０６は、可動枠７５の裏部に取り付けられた払出機構１０７から払い出された球を球取入口９２に排出する。可動枠７５の裏部には、タンク１０８を備える。タンク１０８は、遊技設置構造体の補給系統から供給された球を貯蔵し、貯蔵した球を払出機構１０７の球払出動作に伴い払出機構１０７に供給する部品である。
【００２５】
図６を参照し、遊技機枠７１に交換可能に取り付けられる遊技主体としての遊技盤１１０の構造について説明する。遊技盤１１０は、非遊技領域を形成する遮光性合成樹脂からなる周辺飾り構造体１１１と、周辺飾り構造体１１１で囲まれた内側の遊技領域１１２を形成する光透過性合成樹脂からなる板状構造体１１３とを備える。周辺飾り構造体１１１は、遊技主体収納室９５に格納される方形板状の中央に、前後方向に貫通する丸形開口部１１４と、丸形開口部１１４の左側部に前側開放縦溝形状の発射通路１１５とを備える。発射通路１１５の左側面と当該左側面から右側に弧状に延長する丸形開口部１１４の上部弧状側面とには、ステンレスのような金属帯板状の外バンド１１６が一連に付設される。発射通路１１５の右側面および当該右側面から右側に弧状に延長する丸形開口部１１４の下部弧状側面は、発射通路１１５の縦形の底部と丸形開口部１１４より前方に突出する内バンド１１７を形成する。内バンド１１７における下部弧状側面の最下部には、アウト口１１８を囲むとともに球を遊技盤１１０の前側から裏側に排出するハートと呼ばれるアウト口部１１９が、内バンド１１７から内側に突出した格好に連接される。内バンド１１７およびアウト口部１１９は、周辺飾り構造体１１１と一緒に合成樹脂により形成される。よって、発射通路１１５以外における外バンド１１６と内バンド１１７とが遊技領域１１２を囲む丸形開口部１１４である。アウト口部１１９は、遊技領域１１２の最下部に配置される。発射通路１１５は、発射機構１０３から発射された球を遊技領域１１２に案内する通路である。
【００２６】
発射機構１０３から発射された球を発射通路１１５から遊技領域１１２に放出する発射通路１１５の出口には、戻り球防止弁１２０が設けられる。戻り球防止弁１２０の取付部は、内バンド１１７の端部に沿うように、周辺飾り構造体１１１に取り付けられる。戻り球防止弁１２０は、外バンド１１６や内バンド１１７よりも厚さの薄い薄帯板状のステンレスまたは合成樹脂により形成される板ばねである。戻り球防止弁１２０が周辺飾り構造体１１１に取り付けられた場合、戻り球防止弁１２０は、取付部の存在する基部から外バンド１１６の側に位置する先端部に行くに従って、発射通路１１５の出口から遊技領域１１２の側に徐々に傾斜する格好になる。戻り球防止弁１２０の先端は、外バンド１１６の遊技領域１１２の側に位置する内側面に接触するかまたは接触する程度に近づいていればよい。この接触する程度は、戻り球防止弁１２０の先端と外バンド１１６の内側面との間に１個の球の直径よりも小さい隙間が存在し、遊技領域１１２から外バンド１１６の内側面に沿って発射通路１１５の側に逆行する球が上記戻り球防止弁１２０の先端と外バンド１１６の内側面との間に引っかかることなく通過することもできない範囲であればよい。
【００２７】
そして、発射機構１０３から発射された球が発射通路１１５から戻り球防止弁１２０を押し開けることによって、戻り球防止弁１２０の先端部が外バンド１１６から離れるように、戻り球防止弁１２０の取付部を基準として、戻り球防止弁１２０が全体的に遊技領域１１２の側に弾性変形する。そして、戻り球防止弁１２０を押し開けた球が戻り球防止弁１２０から遊技領域１１２の側に離れることによって、戻り球防止弁１２０の先端部が外バンド１１６に近づくように、戻り球防止弁１２０が全体的に図６に示す形態に復元する。このように戻り球防止弁１２０が復元した形態において、発射通路１１５から遊技領域１１２に発射された球が遊技領域１１２から発射通路１１５の側に逆行してきた場合、当該球が戻り球防止弁１２０に衝突し、戻り球防止弁１２０が当該球を遊技領域１１２から発射通路１１５に取り込まれることを防止して遊技領域１１２に跳ね返す。
【００２８】
周辺飾り構造体１１１の下縁部には不正防止バンド１２２が直線的に取り付けられる。不正防止バンド１２２は、弾性の有る合成樹脂で形成されたものであって、パネル枠８１が閉じられることによって、不正防止バンド１２２が前面パネル８４の内側面（遊技盤１１０の側に位置する面）に接触し、遊技者がピアノ線や合成樹脂製薄帯板などの不正操作部材を遊技領域１１２よりも下方の遊技機枠７１の前側から遊技機枠７１の前面構成部材間の隙間を経由して遊技領域１１２に挿入しようとした場合、パネルの内側面に接触した不正防止バンド１２２が不正操作部材を受け止めて不正操作部材の遊技領域１１２への侵入を防止する。
【００２９】
周辺飾り構造体１１１の右側の上下部には、遊技盤１１０を遊技機枠７１に固定するための取付部１２３が設けられる。取付部１２３は、遊技主体収納室９５に設けられた遊技主体ロック部材９９と係合するロック挿入孔１２４を備える。周辺飾り構造体１１１の右側の下部には、証紙台１２６が、前後方向に開閉可能に設けられる。証紙台１２６が図６に示すように、周辺飾り構造体１１１との連結部である図外のヒンジを回転中心として前方に開かれることによって、下部の取付部１２３が周辺飾り構造体１１１の前側から見える格好となる。そして、証紙台１２６が上記ヒンジを回転中心として後方に閉じられ、証紙台１２６が証紙台受部１２７で受け止められることによって、取付部１２３が証紙台１２６で覆われて周辺飾り構造体１１１の前側から見えなくなる。閉じられた証紙台１２６の前面には、遊技盤１１０が図外の組合の検査に合格して販売の認可を受けたことを示すための図外の証紙が、貼り付けられる。
【００３０】
遊技領域１１２を形成する光透過性合成樹脂からなる板状構造体１１３には、センター飾り１３１、一般入賞部品１３２、作動入賞部品１３３、始動入賞部品１３４、可変入賞部品１３５、遊技釘１３６などの遊技部品が、周辺飾り構造体１１１の発射通路１１５を除く丸形開口部１１４で囲まれた光透過性を有する遊技領域１１２に取り付けられる。一般入賞部品１３２は、球を遊技領域１１２から取り込み、当該取り込んだ球を遊技領域１１２の裏側に排出する、取込形である。一般入賞部品１３２の内部には、図９に示す一般入賞球検出器１５５を備える。作動入賞部品１３３は、球を遊技領域１１２から取り込み、当該取り込んだ球を遊技領域１１２の裏側に取り込むことなく、遊技領域１１２に排出する、通過形である。作動入賞部品１３３の内部には、図９に示す作動入賞球検出器１５６を備える。始動入賞部品１３４は、一対の羽根１３７の下部を回転中心とし、一対の羽根１３７を図９に示す始動駆動源１６１で左右方向に開閉する電動チューリップと呼ばれる構造である。始動入賞部品１３４は、球を遊技領域１１２から取り込み、当該取り込んだ球を遊技領域１１２の裏側に排出する、取込形である。始動入賞部品１３４の左右一対の羽根１３７は、閉じた場合でも、球を受け入れ得る形態、受け入れない形態のいずれでも適用できる。始動入賞部品１３４の内部には、図９に示す始動入賞球検出器１５７を備える。可変入賞部品１３５は、横長な長方形状の開閉体１３８の下部を回転中心とし、開閉体１３８を図９に示す可変駆動源１６２で前後方向に開閉するアタッカーまたは大入賞口と呼ばれる構造である。可変入賞部品１３５の開閉体１３８で閉じたり開かれたりする空洞形状の球受入部の内部には、カウントスイッチと呼ばれる図９に示す普通入賞球検出器１５８と、Ｖスイッチと呼ばれる図９に示す特定入賞球検出器１５９とを備える。可変入賞部品１３５の球受入部に取り込まれた球は、普通入賞球検出器１５８または特定入賞球検出器１５９を通過した後に遊技盤１１０の裏側に排出される。よって、可変入賞部品１３５は取込形である。遊技盤１１０の裏面には、一般入賞部品１３２、始動入賞部品１３４、可変入賞部品１３５、アウト口１１８から遊技盤１１０の裏側に排出された球を下方に誘導して排出する集合樋１３９が設けられる。
【００３１】
図７を参照し、映写装置１と遊技機枠７１とが互いに組み立てられた構造について説明する。映写装置１におけるスクリーン支持体５４とスクリーン５と前被覆体７の上被覆部２７とが可動枠７５の裏側から中央開口部９６に収納され、スクリーン支持体５４の前面が遊技主体収納室９５の裏壁の前面と同一面内に位置される。そして、映写装置１の装置取付部１３が可動枠７５の裏側から可動枠７５の遊技主体収納構造体７８に取り付けられることによって、映写装置１が可動枠７５に取り付けられる。また、遊技盤１１０の遊技領域１１２が前側に向けられ、遊技盤１１０が遊技機枠７１の前側から遊技主体収納室９５に挿入され、遊技盤１１０の下部が遊技主体棚１０１の上に載せられ、遊技盤１１０の左側部が遊技主体受部９８と遊技主体押圧部９７とで前後方向から挟まれた後、遊技盤１１０の右側部が後側に押され、遊技主体ロック部材９９のロック操作部１００が取付部１２３のロック挿入孔１２４に後側から挿入されて前側に突出した状態において、作業者がロック操作部１００を例えば右方向に９０度回転操作すると、ロック操作部１００がロック挿入孔１２４の周りにおける取付部１２３と係合し、遊技盤１１０が可動枠７５に取り付けられる。遊技盤１１０が取り付けられた後、可動枠７５が閉じられる。球皿構造体８２が閉じられる。これによって、図１０に示すように、パチンコ機が構成される。
【００３２】
図１を参照し、前記のように可動枠７５の裏部に映写装置１が取り付けられ、可動枠７５の前部に遊技盤１１０が取り付けられた構造について説明する。図１における符号Ｌは、投影機３から照射される投影光を示す。映写装置１のスクリーン５の前側に遊技盤１１０の光透過性合成樹脂からなる板状構造体１１３が非接触に配置される。そして、図６に示す遊技盤１１０の板状構造体１１３から裏側に突出した一般入賞部品１３２の球排出口部が左右の遊技部品覆部３０に配置され、遊技盤１１０の板状構造体１１３から裏側に突出した始動入賞部品１３４の球排出口部および図９に示す始動駆動源１６１が中央の遊技部品覆部３０に配置され、遊技盤１１０の裏面に取り付けられた図７に示す集合樋１３９が上被覆部２７の前側に配置され、遊技盤１１０の板状構造体１１３から前側に突出したセンター飾り１３１と図６に示す一般入賞部品１３２と作動入賞部品１３３と始動入賞部品１３４と可変入賞部品１３５および遊技釘１３６などの遊技部品がスクリーン５の前側に配置され、図６に示す遊技盤１１０の丸形開口部１１４がスクリーン５の前側に対向して配置される。
【００３３】
そして、投影機３の液晶表示器６５が電気的に画像を表示し、投影機３の投影光源６４が電気的に光を画像の表示されている液晶表示器６５に照射し、その投影光が投影機３の投影レンズ６６で拡大され、その拡大された投影光が反射鏡４で前側に反射してスクリーン５の全域に上記液晶表示器６５で表示された画像を拡大して映写し、遊技機枠７１の前側から遊技者がスクリーン５に映し出された画像を閉じられたパネル枠８１の前面パネル８４と遊技盤１１０の丸形開口部１１４および光透過性合成樹脂からなる板状構造体１１３を通して見ることをできる。
【００３４】
また、遊技者が球皿構造体８２の球収納部９０に球を入れ、発射操作機構９１および図９に示す電気系統が電気的に起動した状態において、人が発射操作機構９１を操作すると、発射機構１０３が発射操作機構９１から出力された操作量に応じた発射力を例えば１分間に１から１００発未満までの所定数の間隔で駆動し、この発射機構１０３が球収納部９０から発射レール１０４に供給された球を１個ずつ遊技盤１１０の発射通路１１５に向けて発射する。この発射通路１１５に発射された球が発射通路１１５から戻り球防止弁１２０を押し開けて遊技領域１１２に到達した後に遊技領域１１２を流下する過程において、一般入賞部品１３２や始動入賞部品１３４あるいは可変入賞部品１３５に入賞すると、一般入賞部品１３２や始動入賞部品１３４あるいは可変入賞部品１３５に入賞した球が遊技盤１１０の裏側に排出される一方、それぞれの入賞に対応する賞球としての球が払出機構１０７から球収納部９０に払い出される。一般入賞部品１３２や始動入賞部品１３４あるいは可変入賞部品１３５に入賞しないで遊技領域１１２の最下部に流れた球は、アウト口１１８に取り込まれた遊技盤１１０の裏側に排出される。これによって、遊技者は、スクリーン５に映し出された画像を遊技領域１１２の全域に見ながら遊技領域１１２に行き交う球の動きとを見ることができる。
【００３５】
図８を参照し、遊技機枠７１と映写装置１との裏側の構造について説明する。遊技機枠７１において、図７に示す遊技主体収納構造体７８の裏面の上部には、タンク１０８と払出機構１０７とが、左右に並べられて取り付けられる。遊技主体収納構造体７８の裏面におけるヒンジ７６の側に位置する側部には、払出機構１０７から払い出された球を下方に誘導する縦樋１４０が、取り付けられる。縦樋１４０よりも下部における遊技主体収納構造体７８における裏面の右側部には、発射制御装置１５２と払出制御装置１５１とが、前後方向で２段となった格好で取り付けられる。例えば、発射制御装置１５２が遊技主体収納構造体７８の側である前側に配置され、払出制御装置１５１が発射制御装置１５２よりも後側に配置される。払出制御装置１５１はカード端子を備える。カード端子は、プリペイドカードで球貸を行うためのカードユニットからの配線を払出制御装置１５１に接続するためコネクタにより形成される。遊技機枠７１において、装置筐体２における図２に示す筐体本体６の裏面の上部には、電源装置１４５が取り付けられる。筐体本体６の裏面の中間部には、主制御装置１４８と複合制御装置１４９とが、左右に並べられて取り付けられる。主制御装置１４８よりもヒンジ７６と反対外に位置する側部における遊技主体収納構造体７８における裏面の左側部には、投影機駆動回路１４６が取り付けられる。筐体本体６の裏面の下部には、図柄制御装置１５０が取り付けられる。電源装置１４５と主制御装置１４８と複合制御装置１４９とが取り付けられた部分は、図２に示す反射鏡収納室１２における裏壁の裏面である。図柄制御装置１５０が取り付けられる部分は、図２に示す投影機収納室１１における裏壁の裏面である。投影機駆動回路１４６が取り付けられる部分は、図２に示す上下の装置取付部１３を連接する立壁の裏面である。
【００３６】
図９を参照し、パチンコ機の電気系統について説明する。電気系統は、電源装置１４５のプラグがパチンコ店の島電源と呼ばれる交流１００ボルトを交流２４ボルトに変換して出力する図外の店側電源装置に接続され、電源装置１４５の電源スイッチが投入されると、電源装置１４５が店側電源装置から供給された交流電源を投影機駆動回路１４６に出力するとともに店側電源装置から供給された交流電源を直流電源に変換する。投影機駆動回路１４６は、交流電源を直流電源に変換して投影機制御回路１４７に出力する。電源装置１４５は上記変換した直流電源を主制御装置１４８と複合制御装置１４９と図柄制御装置１５０と払出制御装置１５１と発射制御装置１５２からなる遊技制御装置に供給する。これによって、投影機制御回路１４７と主制御装置１４８と複合制御装置１４９と図柄制御装置１５０と払出制御装置１５１および発射制御装置１５２のそれぞれに格納されたマイクロコンピュータが起動し、図柄制御装置１５０が画像制御信号を投影機制御回路１４７に出力し、投影機制御回路１４７が図柄制御信号に基づき液晶表示器６５を駆動し、液晶表示器６５が図柄制御信号に対応する画像を表示する一方、投影機制御回路１４７が投影光源６４を点灯し、投影光源６４が光を画像の表示されている液晶表示器６５に照射し、投影光が投影機３の投影レンズ６６で拡大され、拡大された投影光が反射鏡４で前側に反射してスクリーン５に上記液晶表示器６５で表示された画像を拡大して映写する。
【００３７】
主制御装置１４８には、一般入賞球検出器１５５と作動入賞球検出器１５６と始動入賞球検出器１５７と普通入賞球検出器１５８および特定入賞球検出器１５９などの入力機器と、始動入賞部品１３４の始動駆動源１６１と可変入賞部品１３５の可変駆動源１６２と遊技店の管理を行うホールコンピュータ１６３などの出力機器とが配線で接続される。複合制御装置１４９は主制御装置１４８と配線で接続され、複合制御装置１４９には表示灯１６５およびスピーカー１６６などの出力機器が配線で接続される。表示灯１６５は、遊技機枠７１の前部または遊技盤１１０の前部に設けられ、点灯、点滅、消灯で遊技演出を行う部品である。スピーカー１６６は音で遊技演出を行う部品である。
【００３８】
払出制御装置１５１は主制御装置１４８と配線で接続され、払出制御装置１５１には、払出機構１０７の払い出される球を検出する払出球検出器１６７と払出機構１０７のタンク１０８の側に球切れの発生があることを検出する球切れ検出器１６８および払出機構１０７の球皿構造体８２の側に球が満タンであることを検出する満タン検出器１６９などの入力機器と、払出機構１０７の球を払い出す動作を行ったり停止したりする払出駆動源１７０としての出力機器とが配線で接続される。発射制御装置１５２は払出制御装置１５１と配線で接続される。発射制御装置１５２には、発射操作機構９１の球の発射を停止するための発射停止検出器１７１と発射操作機構９１への遊技者による操作量を可変抵抗値として出力する可変抵抗器１７２および発射操作機構９１への遊技者の接触を検出する接触検出器１７３などの入力機器と、発射機構１０３の発射駆動源１７４としての出力機器とが配線で接続される。
【００３９】
そして、投影機駆動回路１４６、投影機制御回路１４７、遊技制御装置が電気的に起動した状態において、一般入賞球検出器１５５が一般入賞検出信号を主制御装置１４８に出力すると、主制御装置１４８が一般入賞検出信号に対応して定められて賞球払出数を含む賞球払出信号を払出制御装置１５１に出力し、払出制御装置１５１が払出駆動源１７０を駆動する。これによって、払出機構１０７のスプロケットのような払出体が回転を開始し、払出機構１０７が賞球としての球を払い出す。この払い出された球は、縦樋１４０を経由して球皿構造体８２の球収納部９０に排出される。作動入賞球検出器１５６が作動入賞検出信号を主制御装置１４８に出力すると、主制御装置１４８が作動入賞による抽選処理を実行した結果とともに作動入賞による演出開始信号を複合制御装置１４９に出力し、複合制御装置１４９が演出開始信号に基づく普図変動開始信号を図柄制御装置１５０に出力し、図柄制御装置１５０が普図変動開始信号に基づく例えば「０」−「９」までの複数の普通図柄データおよび普図変動データを投影機制御回路１４７に出力する。これによって、投影機制御回路１４７が液晶表示器６５における表示画面に割り当てられた普通図柄表示領域に複数の普通図柄を可変表示するように液晶表示器６５を制御する。普通図柄が液晶表示器６５に表示される場合、投影機制御回路１４７は普通図柄表示領域における普通図柄以外の画像を陰面処理する。これによって、スクリーン５に表示された普通図柄と画像とが、重ならず、見やすくなる。
【００４０】
主制御装置１４８は演出開始信号を複合制御装置１４９に出力した時点からの経過時間を計測し、計測した経過時間が主制御装置１４８に定められた普図変動時間に到達すると、作動入賞による抽選処理の結果とともに演出停止信号を複合制御装置１４９に出力し、複合制御装置１４９が演出停止信号に基づく普図変動停止信号を図柄制御装置１５０に出力し、図柄制御装置１５０が抽選処理の結果を反映した普通図柄確定データを投影機制御回路１４７に出力する。これによって、投影機制御回路１４７が普通図柄表示領域に抽選処理の結果を反映した普通図柄を停止表示するように液晶表示器６５を制御する。上記主制御装置１４８が複合制御装置１４９に演出停止信号と一緒に出力抽選処理の結果が当たりである場合、上記液晶表示器６５が例えば「７」の普通図柄を当たりで停止表示する時期に、主制御装置１４８は始動駆動源１６１を所定回数と所定時間とで駆動する。これによって、始動入賞部品１３４の羽根１３７が上記所定回数と所定時間とに基づき開閉する。当たりで停止表示される普通図柄は、同じ普通図柄を２つ並べた形態でもよい。
【００４１】
始動入賞球検出器１５７が作動入賞検出信号を主制御装置１４８に出力すると、主制御装置１４８が始動入賞による抽選処理を実行した結果とともに始動入賞による演出開始信号を複合制御装置１４９に出力し、複合制御装置１４９が演出開始信号に基づく特図変動開始信号を図柄制御装置１５０に出力し、図柄制御装置１５０が特図変動開始信号に基づく例えば「０」−「９」や「絵図柄」などの複数の特別図柄データおよび特図変動データを投影機制御回路１４７に出力する。これによって、投影機制御回路１４７が液晶表示器６５における表示画面に割り当てられた特別図柄表示領域に複数の特別図柄を可変表示するように液晶表示器６５を制御する。特別図柄が液晶表示器６５に表示される場合、投影機制御回路１４７は特別図柄表示領域における特別図柄以外の画像を陰面処理する。これによって、スクリーン５に表示された特別図柄と画像とが、重ならず、見やすくなる。
【００４２】
主制御装置１４８は演出開始信号を複合制御装置１４９に出力した時点からの経過時間を計測し、計測した経過時間が主制御装置１４８に定められた特図変動時間に到達すると、始動入賞による抽選処理の結果とともに演出停止信号を複合制御装置１４９に出力し、複合制御装置１４９が演出停止信号に基づく特図変動停止信号を図柄制御装置１５０に出力し、図柄制御装置１５０が抽選処理の結果を反映した特別図柄確定データを投影機制御回路１４７に出力する。これによって、投影機制御回路１４７が特別図柄表示領域に抽選処理の結果を反映した特別図柄を停止表示するように液晶表示器６５を制御する。
【００４３】
前記主制御装置１４８が複合制御装置１４９に演出停止信号と一緒に出力抽選処理の結果が当たりである場合、上記液晶表示器６５が例えば同じ特別図柄を３個一列に並べた形態のように当たりで停止表示する時期に、主制御装置１４８は可変駆動源１６２を所定回数と所定時間とで駆動する。上記当たりで停止表示される特別図柄は、３個に限定されるものではなく、１個、２個、４個以上であってもよい。上記可変駆動源１６２の駆動によって、可変入賞部品１３５の開閉体１３８が上記所定回数と所定時間とに基づき開閉する。この可変入賞部品１３５による動作が大当たり遊技である。即ち、開閉体１３８の開放中に可変入賞部品１３５に取り込まれた球は、普通入賞球検出器１５８または特定入賞球検出器１５９のいずれかで検出される。主制御装置１４８は、開閉体１３８の開放経過時間をカウントアップし、普通入賞球検出器１５８から普通入賞信号が入力されるごとに普通入賞個数をカウントアップする。そして、開放経過時間によるカウントアップ値が主制御装置１４８に設定された例えば３０秒のような設定開放時間に到達するか、または、普通入賞個数によるカウントアップ値が主制御装置１４８に設定された例えば１０個のような設定普通入賞個数に到達すると、主制御装置１４８が可変駆動源１６２を停止する。
【００４４】
これによって、可変入賞部品１３５の開閉体１３８が閉じる。この１回の開閉体１３８の開放中において、主制御装置１４８は、特定入賞球検出器１５９から特定入賞信号が入力されると、当該開閉体１３８における１回の開閉終了後に、開閉体１３８を再び１回開閉するために可変駆動源１６２を駆動するとともに、ラウンド遊技の継続回数を１回としてカウントアップする。この特定入賞信号で開閉体１３８が再び１回開閉するランド遊技は、上記ラウンド遊技の継続回数によるカウントアップ値が主制御装置１４８に設定された例えば１６回のような設定継続回数に到達するまで繰り返され、１回の大当たり遊技が終了する。また、上記普通入賞信号および特定入賞信号の入力ごとに、主制御装置１４８は、普通入賞信号または特定入賞信号に対応して定められて賞球払出数を含む賞球払出信号を払出制御装置１５１に出力し、払出制御装置１５１が払出駆動源１７０を駆動し、払出機構１０７が賞球としての球を球皿構造体８２の球収納部９０に払い出す。
【００４５】
本実施形態の構造によれば、映写装置１が箱形の装置筐体２に投影機３と反射鏡４およびスクリーン５からなる複数の構成部品を組み付けた単一集合構造体として形成されたので、光透過性合成樹脂からなる板状構造体１１３を設ける遊技機枠７１の裏部に映写装置１を取り付けたり、遊技機枠７１の裏部から映写装置１を取り外したりする場合、映写装置１を単一集合構造体として扱うことができ、遊技機枠７１の裏部への映写装置１の着脱を容易に行うことができるという利点がある。映写装置１が遊技機枠７１に取り付けられるのに先駆けて、投影レンズ６６の焦点調整を行うことができ、当該焦点調整を行うことによって、映写装置１が遊技機枠７１に取り付けられても、投影機３と反射鏡４およびスクリーン５からなる複数の構成部品相互の位置関係が装置筐体２で確保され、スクリーン５に映し出された画像が鮮明であり、品質信頼性が高いという利点がある。装置筐体２が筐体本体６と前被覆体７と蓋体８との３つの部品が組み合わせられることで下部の投影機構部９と上部の反射映写機構部１０とを形成するので、装置筐体２を構成する筐体本体６と前被覆体７および蓋体８を合成樹脂で容易に形成することができ、それら３つの部品を組み合わせることによって、装置筐体２の強度が高くなるという利点がある。
【００４６】
本実施形態の構造によれば、筐体本体６と前被覆体７と蓋体８との３つの部品からなる装置筐体２の前側の開口部にスクリーン５を取り付けることによって、装置筐体２の内部に閉鎖空間が密封状に形成されるので、当該閉鎖された密封空間に配置される投影機３と反射鏡４とによる投影・映写空間に埃が浮遊することがなく、スクリーン５に映し出された画像が鮮明であるという利点がある。前被覆体７が作業開口部３７を備えたので、映写装置１の単体で、投影レンズ６６の焦点調整を容易に行うことができるという利点がある。電源装置１４５と投影機駆動回路１４６と主制御装置１４８および複合制御装置１４９など映写に必要な電気部品が装置筐体２の裏面に取り付けられたので、投影レンズ６６の焦点調整が一層容易となるという利点がある。焦点調整後に、蓋体８を前被覆体７に取り付けることで、作業開口部３７が蓋体８で閉鎖されるので、上記装置筐体２の内部の閉鎖空間を密封状に維持することができるという利点がある。筐体本体６では、反射鏡受部２０が前傾姿勢となる１つの平面内に位置する格子リブ２２と周辺リブ２３とを備えたので、反射鏡４の反射面が１つの平面を確保することができるという利点がある。筐体本体６の内部には格子リブ２２と周辺リブ２３と補強リブ２５が設けられているので、筐体本体６の強度が高いという利点がある。投影機３は前被覆体７の裏面に取り付けてもよいが、本実施形態のように、投影機３が筐体本体６に取り付けられれば、投影機３と反射鏡４とスクリーン５とを筐体本体６に取り付けた状態において、投影機３と反射鏡４とスクリーン５との投影機３からの投影光の光軸に対する位置関係を適正に調整した後、前被覆体７が筐体本体６に取り付けられるので、上記調整後の投影光に対する位置関係がずれることなく適切に維持されるという利点がある。
【産業上の利用可能性】
【００４７】
遊技機としてスロットマシンの映写装置１としても同様に適用することができる。この場合、光透過性合成樹脂からなる板状構造体１１３に類似する板状構造体を全体的にまたは当該板状構造体の前面を遊技機枠７１に相当するスロットマシンの遊技機枠の前側に突出する弧状に形成するか、または、反射鏡４を前側に突出する弧状に形成するか、または、スクリーン５を前側に突出する弧状に形成するか、または、前面パネル８４に相当する前面パネル８４を前側に突出する弧状に形成すれば、ドラムタイプのような画像を表現することができる。スロットマシンに用いる板状構造体は、板状構造体１１３に遊技部品を設けない点で板状構造体１１３と相違する。
【図面の簡単な説明】
【００４８】
【図１】映写装置を示す縦断面図（一実施形態）。
【図２】映写装置を示す分解斜視面図（一実施形態）。
【図３】映写装置を示す斜視図（一実施形態）。
【図４】筐体本体の正面を示す模式図（一実施形態）。
【図５】遊技機枠を示す斜視図（一実施形態）。
【図６】遊技盤を示す斜視図（一実施形態）。
【図７】映写装置と遊技機枠と遊技盤とを示す斜視図（一実施形態）。
【図８】映写装置と遊技機枠とを示す背面図（一実施形態）。
【図９】電気系統を示すブロック図（一実施形態）。
【図１０】パチンコ機を示す斜視図（一実施形態）。
【符号の説明】
【００４９】
１  映写装置、２  装置筐体、３  投影機、４  反射鏡、５  スクリーン、
６  筐体本体、７  前被覆体、８  蓋体、９  投影機構部、１０  反射映写機構部、
１５  周壁、２０  反射鏡受部、２２  格子リブ、２３  周辺リブ、２５  補強リブ、
３７  作業開口部、６６  投影レンズ、７１  遊技機枠、１４５  電源装置、
１４６  投影機駆動回路、１４８  主制御装置、１４９  複合制御装置。
【図１】
2005148206.tif 000003
【図２】
2005148206.tif 000004
【図３】
2005148206.tif 000005
【図４】
2005148206.tif 000006
【図５】
2005148206.tif 000007
【図６】
2005148206.tif 000008
【図７】
2005148206.tif 000009
【図８】
2005148206.tif 000010
【図９】
2005148206.tif 000011
【図１０】
2005148206.tif 000012